(57)【要約】【課題】周囲の物品から状況を判断して、その状況に適した楽曲を再生することのできる「オーディオ装置」を提供することである。【解決手段】  物に装着されて当該物に関する情報である物品情報を含むタグ情報を記憶したＩＣタグと無線通信を行なって前記タグ情報を取得するタグ情報取得手段（１１、Ｓ１３）と、物品情報と該物品情報に対して予め決められたキー情報との対応関係に基づいて、前記取得されたタグ情報に含まれる物品情報に対応したキー情報を取得するキー情報取得手段（Ｓ１４、Ｓ１４、Ｓ１５）と、前記取得されたキー情報を含む楽曲付属情報を前記記憶手段において検索する検索手段（Ｓ１７）とを有し、前記検索手段によって得られた楽曲付属情報に対応付けられる楽曲情報を記憶手段１３より読み出して対応する楽曲を再生出力するように構成される。【選択図】図６
2011054250.tif 000002
【特許請求の範囲】
【請求項１】
楽曲を再生するための楽曲情報と該楽曲に関する情報である楽曲付属情報とを対応付けて記憶する記憶手段を有し、該記憶手段から読み出した楽曲情報に基づいて楽曲を再生出力するオーディオ装置であって、
物に装着されて当該物に関する情報である物品情報を含むタグ情報を記憶したＩＣタグと無線通信を行なって前記タグ情報を取得するタグ情報取得手段と、
物品情報と該物品情報に対して予め決められたキー情報との対応関係に基づいて、前記取得されたタグ情報に含まれる物品情報に対応したキー情報を取得するキー情報取得手段と、
前記取得されたキー情報を含む楽曲付属情報を前記記憶手段において検索する検索手段とを有し、
前記検索手段によって得られた楽曲付属情報に対応付けられる楽曲情報を前記記憶手段より読み出して対応する楽曲を再生出力するオーディオ装置。
【請求項２】
前記キー情報取得手段は、物品情報とキー情報とを対応付けた対応テーブルを有し、
前記対応テーブルから取得された前記キー情報を取得する請求項１記載のオーディオ装置。
【請求項３】
前記楽曲付属情報は、アーティスト名、アルバム名、曲名、及び歌詞を含み、
前記検索手段は、取得されたキー情報が含む前記アーティスト名、アルバム名、曲名、及び歌詞のいずれかに含まれる楽曲付属情報を検索する請求項１または２記載のオーディオ装置。
【請求項４】
前記タグ情報取得手段によって取得されたタグ情報に含まれる物品情報とその取得時を保存する物品情報取得時保存手段と、
前記タグ情報取得手段がタグ情報を取得したときに、該タグ情報に含まれる物品情報と同じ物品情報の取得時が前記物品情報取得時保存手段に保存されているときに、その取得時からの経過期間が所定期間に達しているか否かを判定する判定手段と、
該判定手段にて前記取得時からの経過期間が所定時間に達していないとの判定がなされたときに、前記キー情報取得手段が前記取得されたタグ情報に含まれる物品情報からキー情報を取得することを禁止する制御手段とを有する請求項１乃至３のいずれかに記載のオーディオ装置。
【請求項５】
キー情報取得手段は、前記取得されたタグ情報に含まれる物品情報がアーティスト名を含むとき、当該アーティスト名をキー情報として取得する請求項１乃至４のいずれかに記載のオーディオ装置。
【発明の詳細な説明】
【技術分野】
【０００１】
本発明は、記憶部に記憶された複数の楽曲情報の中から選択される楽曲情報に基づいて楽曲を再生出力するオーディオ装置に関する。
【背景技術】
【０００２】
従来、車載用ナビゲーション装置に連動し、乗員が目的地を設定すると、その目的地に関連する楽曲を再生するためのプレイリストを作成するようにした車載機器が提案されている（特許文献１参照）。このような車載機器によれば、目的地まで経路案内されつつ車両を運転する乗員は、記憶された多くの音楽のなかからその目的地に関連する音楽を自動的に選択して聴くことができるようになる。
【０００３】
また、ＲＦＩＤ（Ｒａｄｉｏ  ｆｕｒｅｑｕｅｎｃｙ  ｉｄｅｎｔｉｆｉｃａｔｉｏｎ）の一種であるＩＣタグを利用し、そのＩＣタグに記憶された情報を利用するナビゲーション装置が提案されている（特許文献２）。このナビゲーション装置は、車内に持ち込まれた乗員の携行品に取り付けられたＩＣタグからその携行品の種別等（例えば、スキー板）等を読み取り、その携行品の種類から検索すべき目的地の施設ジャンル（スキー場）を決めるようにしている。このようなナビゲーション装置によれば、ルート計算を行うために必要な目的地の設定操作を効率的に行うことができるようになる。
【先行技術文献】
【特許文献】
【０００４】
【特許文献１】特開２００８−８７０１号公報
【特許文献２】特開２００５−２８３３６７号公報
【発明の概要】
【発明が解決しようとする課題】
【０００５】
ところで、オーディオ装置において、周囲の物から状況を判断して、その状況に適した楽曲を再生できることは好ましい。
【０００６】
しかし、前述した従来の車載機器では、ナビゲーションのために設定した目的地に関連した楽曲の再生は可能であるが、乗員の携行品から状況を判断してその状況に適した楽曲を再生することができない。また、前述した従来のナビゲーション装置では、乗員の携行品の種類を当該携行品に取り付けられたＩＣタグから利用して取得することは提案されているものの、その取得した携行品の種類を楽曲再生に利用することは提案されていない。
【０００７】
本発明はこのような事情に鑑みてなされたもので、周囲の物品から状況を判断して、その状況に適した楽曲を再生することのできるオーディオ装置を提供するものである。
【課題を解決するための手段】
【０００８】
本発明に係るオーディオ装置は、楽曲を再生するための楽曲情報と該楽曲に関する情報である楽曲付属情報とを対応付けて記憶する記憶手段を有し、該記憶手段から読み出した楽曲情報に基づいて楽曲を再生出力するオーディオ装置であって、物に装着されて当該物に関する情報である物品情報を含むタグ情報を記憶したＩＣタグと無線通信を行なって前記タグ情報を取得するタグ情報取得手段と、物品情報と該物品情報に対して予め決められたキー情報との対応関係に基づいて、前記取得されたタグ情報に含まれる物品情報に対応したキー情報を取得するキー情報取得手段と、前記取得されたキー情報を含む楽曲付属情報を前記記憶手段において検索する検索手段とを有し、前記検索手段によって得られた楽曲付属情報に対応付けられる楽曲情報を前記記憶手段より読み出して対応する楽曲を再生出力するように構成される。
【０００９】
このような構成により、物に装着されたＩＣタグから物品情報を含むタグ情報を取得すると、物品情報と該物品情報に対して予め決められたキー情報との対応関係に基づいて、前記取得されたタグ情報に含まれる物品情報に対応したキー情報が取得され、そのキー情報を含む楽曲付属情報に対応した楽曲情報に基づいて楽曲が再生される。
【００１０】
前記キー情報取得手段は、物品情報とキー情報とを対応付けた対応テーブルから前記取得した物品情報に対応するキー情報を取得することができる。
【００１１】
本発明に係るオーディオ装置において、前記楽曲付属情報は、アーティスト名、アルバム名、曲名、及び歌詞を含み、前記検索手段は、取得されたキー情報が含む前記アーティスト名、アルバム名、曲名、及び歌詞のいずれかに含まれる楽曲付属情報を検索するように構成することができる。
【００１２】
このような構成により、物品と、その物品を表す物品情報に対応するキー情報をアーティスト名、アルバム名、曲名及び歌詞のいずれかに含むという関係の楽曲を選んで再生することができるようになる。
【００１３】
また、本発明に係るオーディオ装置において、前記タグ情報取得手段によって取得されたタグ情報に含まれる物品情報とその取得時を保存する物品情報取得時保存手段と、前記タグ情報取得手段がタグ情報を取得したときに、該タグ情報に含まれる物品情報と同じ物品情報の取得時が前記物品情報取得時保存手段に保存されているときに、その取得時からの経過期間が所定期間に達しているか否かを判定する判定手段と、該判定手段にて前記取得時からの経過期間が所定時間に達していないとの判定がなされたときに、前記キー情報取得手段が前記取得されたタグ情報に含まれる物品情報からキー情報を取得することを禁止する制御手段とを有する構成とすることができる。
【００１４】
このような構成により、同じ種類の物品に装着されたＩＣタグから取得されるタグ情報が繰り返し取得されても、そのタグ情報に含まれる物品情報に基づいて同じ曲が繰り返し再生されることを防止することができるようになる。
【発明の効果】
【００１５】
本発明に係るオーディオ装置によれば、物に装着されたＩＣタグから物品情報を含むタグ情報を取得すると、物品情報と該物品情報に対して予め決められたキー情報との対応関係に基づいて、前記取得されたタグ情報に含まれる物品情報に対応したキー情報が取得され、そのキー情報を含む楽曲付属情報に対応した楽曲情報に基づいて楽曲が再生されるので、キー情報を対応する物品情報が表す物から想定される状況を表す情報に設定しておくことにより、その物から想定される状況に適した楽曲を再生することができるようになる。
【図面の簡単な説明】
【００１６】
【図１】本発明の実施形態に係るオーディオ装置の構成を示すブロック図である。
【図２】楽曲情報と楽曲付属情報とを対応づける楽曲テーブルの一例を示す図である。
【図３】記憶部に記憶されている物（物品情報）とイメージキーワード（キー情報）とを対応づける物品連想テーブルの一例を示す図である。
【図４】マフラーに装着されたＩＣタグに記憶されているタグ情報の一例を示す図である。
【図５】ＣＤに装着されたＩＣタグに記憶されているタグ情報の一例を示した図である。
【図６】図１に示したオーディオ装置における処理ユニットでの処理手順の第１の例を示すフローチャートである。
【図７】図１に示したオーディオ装置における処理ユニットでの処理手順の第２の例を示すフローチャートである。
【図８】図１に示したオーディオ装置における処理ユニットでの処理手順の第３の例を示すフローチャートである。
【図９】イメージキーワード「冬」についての検索結果（楽曲リスト）の表示例を示す図である。
【図１０】イメージキーワード「冬・旅行」についての検索結果（楽曲リスト）の表示例を示す図である。
【図１１】「アーティストＡ」についての検索結果（楽曲リスト）の表示例を示す図である。
【発明を実施するための形態】
【００１７】
以下、本発明の実施の形態について図面を用いて説明する。
【００１８】
本発明の実施の一形態に係るオーディオ装置は、図１に示すように構成される。なお、このオーディオ装置は、車両に搭載されるものである（車載オーディオ装置）。
【００１９】
図１において、オーディオ装置１００は、コンピュータユニット（ＣＰＵを含む）にて構成される処理ユニット１０を有している。処理ユニット１０には、ＤＶＤ・プレイヤ１４及び記憶部１３が接続されるとともに、スピーカ１６に音声信号を出力する音声出力回路１５と、表示ユニット１８に画像信号を出力する画像出力回路１７と、操作ボタンや表示ユニット１８内に構成されるタッチパネル等からなる操作部１２とが接続されている。スピーカ１６、表示ユニット１８及び操作部１２は、車室内の所定部位に設けられている。
【００２０】
処理ユニット１０の制御のもと、ＤＶＤ・ＣＤプレイヤ１４にセットされたＣＤ（Compact Disc）やＤＶＤ（Digital Versatile Disc）から読み出される楽曲情報が音声出力回路１５を経て音声信号となり、その音声信号がスピーカ１６に供給されて、前記楽曲情報に基づいた楽曲音がスピーカ１６から出力される。ＤＶＤから再生される映像情報は、画像出力回路１７を経て画像信号となり、その画像信号が表示ユニット１８に供給されて、前記映像情報に基づいた動画像が表示ユニット１８に表示される。
【００２１】
処理ユニット１０は、例えば、ＤＶＤ・ＣＤプレイヤ１４にセットされたＣＤから楽曲情報を読み出して再生する際に、それに対応する楽曲付属情報をＣＤから読み出して、前記楽曲情報及びそれに対応する楽曲付属情報を記憶部１３に格納する。そして、処理ユニット１０は、その楽曲情報と楽曲付属情報とを対応づける楽曲テーブルを作成して記憶部１３に記憶させる。前記楽曲テーブルは、例えば、図２に示すように、楽曲情報を特定する楽曲識別情報（楽曲１〜楽曲１４）に対して、その楽曲のアーティスト名、アルバム名、曲名及び歌詞を含む楽曲付属情報を対応づけている。
【００２２】
図１に戻って、処理ユニット１０には、タグリーダ１１が接続されている。このタグリーダ１１は、例えば車室内を通信領域として無線通信を行う機能を有し、物に装着されて当該物に関する情報である物品情報を含むタグ情報を記憶したＩＣタグと無線通信を行って前記タグ情報をＩＣタグから読み出す。タグリーダ１１は、処理ユニット１０の制御のもと、ＩＣタグから読み出したタグ情報を処理ユニット１０に供給する。
【００２３】
記憶部１３には、物の情報である物品情報、例えば、物の種類と品名とを表す情報とその物品から連想される言葉（以下、イメージキーワードという）との対応関係を表す物品連想テーブルが格納されている。この物品連想テーブルは、例えば、図３に示すように、物の種類（衣類、道具、本等）と物の品名（手袋、マフラー、スキー板、旅行ガイドブック、海水パンツ等）とを含む物品情報と、その物品情報から連想されるイメージキーワード（冬、旅行、夏等）とを対応づけている。なお、前記物品連想テーブルは、当該オーディオ装置１０を提供するメーカが作成して記憶部１３に記憶させることができ、また、ユーザが操作部１２を操作して作成し、記憶部１３に記憶させることもできる。
【００２４】
前述したＩＣタグに記憶されるタグ情報は、例えば、図４及び図５に示すように構成される。図４に示すタグ情報は、マフラー（物）に装着されるＩＣタグに記憶されるものであって、その物の種類（衣類）及び品名（マフラー）を表す物品情報とともに、製造年月日、製造場所、製造者、運送者、販売店及び販売価格の各情報項目を含んでいる。図５に示すタグ情報は、ＣＤ（物）に装着されるＩＣタグに記憶されるものであって、その物の種類（オーディオディスク）及び品名（ＣＤ）を表す物品情報とともに、製造年月日、製造場所、製造者、運送者、販売店、販売価格及び楽曲情報・楽曲付属情報の各情報項目を含んでいる。
【００２５】
処理ユニット１０は、ＩＣタグから読み出されるタグ情報から再生すべき楽曲情報を決めるための処理を行うことができる。この処理は、例えば、図６に示す手順に従って実行される。
【００２６】
図６において、処理ユニット１０は、タグリーダ１１に対してＩＣタグからタグ情報の読み出しを指示する（Ｓ１１）。処理ユニット１０からの前記指示に基づいてタグリーダ１１は、通信領域（車室内）を走査し、その通信領域（車室内）内に存在する物に装着されたＩＣタグと無線通信を行う。そして、タグリーダ１１は、読み出したタグ情報を処理ユニット１０に供給する。処理ユニット１０は、タグリーダ１１に対する前記指示を行った後、ＩＣタグが存在するか否かの判定を行っており（Ｓ１２）、例えば、前記指示から所定時間が経過してもタグリーダ１１からタグ情報が供給されなければ、ＩＣタグが存在しないとして（Ｓ１２でＮＯ）、処理を終了する（ＥＮＤ）。一方、前記所定時間が経過する前に、タグリーダ１１からタグ情報が供給されると（Ｓ１２でＹＥＳ）、そのタグ情報を取得する（Ｓ１３）。
【００２７】
処理ユニット１０は、取得したタグ情報（例えば、図４、図５参照）から物品情報（物の種類及び品名）を抽出する。そして、記憶部１３に格納された物品連想テーブル（図３参照）を参照して、抽出した前記物品情報に対応するイメージキーワード（キー情報）があるか否かを判定する（Ｓ１４）。このとき、処理ユニット１０は、抽出した物品情報を表示ユニット１８に表示させており、抽出した前記物品情報に対応するイメージキーワードが物品連想テーブルにない場合、表示ユニット１８に表示された物品情報を見たユーザ（乗員）が操作部１２にてイメージキーワードを入力する等の登録操作を行うと、その入力されたイメージキーワードと前記物品情報とをそれぞれ対応づけるように物品連想テーブルに登録する（Ｓ１５）。
【００２８】
処理ユニット１０は、前記物品連想テーブルに抽出した前記物品情報に対応するイメージキーワードが存在する場合（Ｓ１４でＹＥＳ）には、そのイメージキーワードを、または、イメージキーワードを新規に登録した場合（Ｓ１４でＮＯ、Ｓ１５）には、その新規登録のイメージキーワードを、検索のキー情報として決定する（Ｓ１６）。そして、処理ユニット１０は、記憶部１３に格納した楽曲テーブルから、前記検索のキー情報として決定したイメージキーワードを含む楽曲付属情報（アルバム名、曲名、歌詞）を検索する（Ｓ１７）。
【００２９】
処理ユニット１０は、その検索結果を表示ユニット１８に表示させる（Ｓ１８）。例えば、車室内にスキー板やスキーウエアが存在して、キー情報として決定されたイメージキーワードが「冬」の場合、例えば、図９に示すように、アルバム名、曲名または歌詞に「冬」という言葉が含まれる楽曲付属情報（アーティスト名、アルバム名、曲名）の一覧表が検索結果（楽曲リスト）として表示ユニット１８に表示される。また、例えば、車室内に手袋、マフラーとともに旅行ガイドブック（図３参照）が存在して、キー情報として決定されたイメージキーワードが「冬」及び「旅」の場合、例えば、図１０に示すように、アルバム名、曲名または歌詞に「冬」または「旅」という言葉が含まれる楽曲付属情報（アーティスト名、アルバム名、曲名）の一覧表が検索結果（楽曲リスト）として表示ユニット１８に表示される。
【００３０】
その後、処理ユニット１０は、楽曲再生処理を実行する（Ｓ１９）。この楽曲再生処理では、表示ユニット１８に表示された楽曲付属情報の一覧表においてユーザが操作部１２を用いて１つの楽曲付属情報（アーティスト名、アルバム名、曲名）を選択すると、処理ユニット１０は、楽曲テーブル（図２参照）を参照して、その選択された楽曲付属情報に対応する楽曲識別情報を決定する。そして、処理ユニット１０は、その決定した楽曲識別情報にて特定される楽曲情報を記憶部１３から読み出して音声出力回路１５に供給する。すると、音声出力回路１５から前記楽曲情報に対応する音声信号がスピーカ１６に供給され、前記楽曲情報に対応する楽曲音がスピーカ１６から出力される。
【００３１】
前述した本発明の実施の形態に係るオーディオ装置１００では、車室内に持ち込まれた物に装着されたＩＣタグから物品情報を含むタグ情報が取得されると、物品連想テーブル（図３参照）から前記取得された物品情報に対応するイメージキーワードが検索され、そのイメージキーワードを含むアルバム名、曲名または歌詞（楽曲付属情報）に対応した楽曲に基づいた楽曲が再生されるようになるので、車室内に持ち込まれた物から連想される楽曲を再生できるようになる。例えば、スキー板（図２に示す物品連想テーブルでは、イメージキーワードが冬）及びスキーウエア（図２に示す物品連想テーブルではイメージキーワードが冬）が車室内に持ち込まれた場合には、スキー板やスキーウエアから連想される冬の楽曲（図９においてアルバム名：冬Ｂｅｓt、曲名：冬の夜  等）を再生することができるようになる。即ち、車室内に持ち込まれた物から想定される状況（例えば、スキー場に向かう状況）に適した楽曲を再生することができるようになる。
【００３２】
なお、前述したオーディオ装置では、イメージキーワードに基づいた検索結果をリスト表示して（図９及び図１０参照）、そのリストからユーザが選択した楽曲付属情報に対応する楽曲情報に基づいて楽曲を再生するようにしたが、検索結果として得られた楽曲付属情報に対応する楽曲情報を処理ユニット１０がランダムに選択して対応する楽曲を再生させるようにしてもよい。
【００３３】
図６に示す手順に従った処理では、同じ物（同じ種類の物）を頻繁に車両に積み込んで走行する場合や、ある物を車室内に忘れてしまった場合では、走行の都度、同じ楽曲がリスト表示（再生）されることになってしまうおそれがあるが、それを避けるために、図６に示す手順に従った処理に代えて、図７に示す手順に従った処理を実行することができる。
【００３４】
図７において、処理ユニット１０は、前述した処理（図６参照）と同様に、タグ情報を取得すると（Ｓ２１、Ｓ２２、Ｓ２３）、取得された全てのタグ情報（物品情報）から選択されるタグ情報を記憶部１３の所定領域にセットする（Ｓ２３）。処理ユニット１０は、当該セットされたタグ情報について、後述するように保存された前回のセット日時（Ｓ２８参照）から前記セットされた日時までの経過期間が所定期間（１日、３日、１週間等、ユーザにより設定することができる）以内であるか否かを判定する（Ｓ２５）。前記経過期間が所定期間以内であると判定すると（Ｓ２５でＹＥＳ）、処理ユニット１０は、前記セットしたタグ情報を削除し（Ｓ２６）、前記経過時間が所定期間以内ではないとの判定をすると（Ｓ２５でＮＯ）、記憶部１３の所定領域にセットされたタグ情報を維持する。処理ユニット１０は、このような処理を取得された全てのタグ情報について実行する（Ｓ２４、Ｓ２５、Ｓ２６、Ｓ２７でＮＯ）。
【００３５】
そして、取得された全てのタグ情報についての処理が終了すると（Ｓ２７でＹＥＳ）、処理ユニット１０は、新たにセットされたタグ情報については、前記セット日時を記憶部１３に新たに保存し、すでにセット日時が保存されているタグ情報については、そのセット日時を今回のセット日時に更新する（Ｓ２８）。以後、処理ユニット１０は、図６に示す処理の場合と同様に、物品連想テーブル（図３参照）を参照して、セットされた全てのタグ情報に含まれる物品情報に対応するイメージキーワードをキー情報として決定する（Ｓ２９）。そして、処理ユニット１０は、楽曲テーブル（図２参照）から、前記検索のキー情報として決定したイメージキーワードを含む楽曲付属情報（アルバム名、曲名、歌詞）を検索する（Ｓ３０）。その検索処理の結果、前記イメージキーワードを含む楽曲付属情報が存在すれば（Ｓ３１でＹＥＳ）、処理ユニット１０は、図９や図１０に示すように、その検索結果（楽曲リスト）を表示ユニット１８に表示させる（Ｓ３２）。そして、ユーザの操作部１２の操作によって楽曲付属情報が選択されると、処理ユニット１０は、楽曲再生処理（Ｓ３３）を実行する。その結果、前述したのと同様に、選択された楽曲付属情報に対応する楽曲情報に基づいた音声信号によりスピーカ１６から楽曲音が出力される。
【００３６】
なお、処理ユニット１０は、タグ情報が取得されない場合（Ｓ２２でＮＯ）、また、イメージキーワードを含む楽曲付属情報がない場合（Ｓ３１でＮＯ）には、処理をそのまま終了（ＥＮＤ）する。
【００３７】
前述したような処理（図７参照）によれば、ＩＣタグから読み出されたタグ情報について、前回セットされた日時から今回セットされた日時までの経過時間が所定時間以内である場合には、そのタグ情報に含まれる物品情報は再生すべき楽曲を検索するためのキー情報としてのイメージキーワードを決定するためには用いられなくなるので（Ｓ２５、Ｓ２６参照）、同じ物（同じ種類の物）を頻繁に車両に積み込んで走行する場合や、ある物を車室内に忘れてしまってその物に装着されたＩＣタグから頻繁にタグ情報が読み出される場合であっても、走行の都度、同じ楽曲が再生されることを防止することができるようになる。
【００３８】
特に、利用者がＣＤを車室内に持ち込んだ場合に、ユーザがそのＣＤに記録された楽曲に興味があるという状況に適した楽曲を再生することができるという観点から、処理ユニット１０は、図６や図７に示す処理に代えて、図８に示す手順に従って処理を実行することができる。
【００３９】
図８において、処理ユニット１０は、前述した処理（図６参照）と同様に、タグ情報を取得すると（Ｓ４１、Ｓ４２、Ｓ４３）、そのタグ情報（物品情報）に物としてのＣＤに関する情報であるアーティスト名が含まれているか否かを判定する（Ｓ４４）。前記取得されたタグ情報にアーティスト名があると、処理ユニット１０は、そのアーティスト名をキー情報として決定し（Ｓ４５）、楽曲テーブル（図２参照）からキー情報として決定したアーティスト名を含む楽曲付属情報を検索する（Ｓ４６）。その検索処理の結果、前記アーティスト名を含む楽曲情報が存在すれば（Ｓ４７でＹＥＳ）、処理ユニット１０は、前記検索結果に基づいて、図１１に示すような、キー情報としてのアーティスト名にて特定されるアーティストの楽曲を特定する楽曲付属情報（アルバム名、曲名）及び対応するイメージキーワードの一覧表を表示ユニット１８に表示させる（Ｓ４８）。そして、処理ユニット１０は、楽曲再生処理（Ｓ４９）を実行する。その結果、前記一覧表からユーザにより選択された楽曲付属情報に対応する楽曲情報が記憶部１３から読み出されて音声出力回路１５に供給され、音声出力回路１５からその楽曲情報に対応した音声信号がスピーカ１６に供給されて前記楽曲情報に対応する楽曲音がスピーカ１６から出力される。
【００４０】
なお、処理ユニット１０は、タグ情報が取得されない場合（Ｓ４２でＮＯ）、そのまま処理を終了（ＥＮＤ）する。また、取得されたタグ情報に含まれるアーティスト名を含む楽曲付属情報がない場合（Ｓ４７でＮＯ）には、処理ユニット１０は、取得されたタグ情報にＣＤに関するタグ情報以外のタグ情報が存在するか否かを判定し（Ｓ５０）、そのような他のタグ情報がない場合（Ｓ５０でＮＯ）、処理を終了（ＥＮＤ）する。更に、取得したタグ情報にアーティスト名が含まれていない場合（Ｓ４４でＮＯ）及び他のタグ情報がある場合（Ｓ５０でＹＥＳ）、処理ユニット１０は、図６に示す処理Ｓ１４以降の処理（Ｓ１４〜Ｓ１９）を実行する。
【００４１】
前述したような処理（図８参照）によれば、ＣＤが車室に持ち込まれた場合、そのＣＤに装着されたＩＣタグから読み出されるタグ情報に含まれたアーティスト名と同じアーティスト名を含む楽曲付属情報が検索され、その楽曲付属情報に対応する楽曲情報に基づいた楽曲が再生されるようになるので、ＣＤを車室に持ち込んだユーザが興味のあるアーティストの楽曲を自動的に提供することができるようになる。
【００４２】
前述した各例では、車載用のオーディオ装置について説明したが、本発明は、これに限定されることなく、オーディオルームは勿論、ショールームや待合室に設置されるオーディオ装置であってもよい。ショールームや待合室に設置されるオーディオ装置では、そのショールームや待合室を利用するユーザの所持品にその所持品（物）に関する物品情報を含むタグ情報を記憶したＩＣタグが装着されていれば、その物品から想定される状況（ユーザの趣味やこれからの行動等）に適した楽曲を再生することができるようになる。
【産業上の利用可能性】
【００４３】
以上、説明したように、本発明に係るオーディオ装置は、周囲の物品から状況を判断して、その状況に適した楽曲を再生することができるという効果を有し、記憶部に記憶された複数の楽曲情報の中から選択される楽曲情報に基づいて楽曲を再生出力するオーディオ装置として有用である。
【符号の説明】
【００４４】
１０  処理ユニット
１１  タグリーダ
１２  操作部
１３  記憶部
１４  ＤＶＤ・ＣＤプレイヤ
１５  音声出力回路
１６  スピーカ
１７  画像出力回路
１８  表示ユニット
１００  オーディオ装置
【図１】
2011054250.tif 000003
【図２】
2011054250.tif 000004
【図３】
2011054250.tif 000005
【図４】
2011054250.tif 000006
【図５】
2011054250.tif 000007
【図６】
2011054250.tif 000008
【図７】
2011054250.tif 000009
【図８】
2011054250.tif 000010
【図９】
2011054250.tif 000011
【図１０】
2011054250.tif 000012
【図１１】
2011054250.tif 000013